(57)【要約】【課題】野地板上に凹凸屋根材を設置して通気性を高め、この凹凸屋根材を野地板上に強固に且つ水仕舞いよく固定することができ、しかも、固定後の凹凸屋根材の撓みも抑えることのできる屋根構造を提案する。【解決手段】本発明の屋根構造は、野地板４上に凹凸屋根材１１を設けたものである。この凹凸屋根材１１は、下方に開口する凸部１２と上方に開口する凹部１３とを軒方向Ｄ２に交互に有し、凸部１２と野地板４との間に通気空間１７を形成する。野地板４の軒側端部には、凸部１２内に挿入されて通気空間１７の軒側を閉塞する閉塞部２８が固定され、閉塞部２８に対して凹凸屋根材１１が固定される。【選択図】図１
2013221258.tif 000002
【特許請求の範囲】
【請求項１】
野地板上に凹凸屋根材が設けられ、
前記凹凸屋根材は、下方に開口する凸部と上方に開口する凹部とを軒方向に交互に有し、前記凸部と前記野地板との間に通気空間を形成するものであり、
前記野地板の軒側端部には、前記凸部内に挿入されて前記通気空間の軒側を閉塞する閉塞部が固定され、
前記閉塞部に対して前記凹凸屋根材が固定されることを特徴とする屋根構造。
【請求項２】
前記凹凸屋根材は、
前記凸部の軒側端部に複数の切り欠きを有し、隣接する前記切り欠き間に形成される折曲片を内側に折り曲げて、折り曲げた前記折曲片を前記閉塞部と係合させることにより、前記閉塞部に固定されることを特徴とする請求項１に記載の屋根構造。
【請求項３】
前記閉塞部は、
前記通気空間の軒側を閉塞する閉塞板と、
前記閉塞板の周縁部から屋外側にむけて突設される被係止片とを有し、
折り曲げた前記折曲片が前記被係止片に係合されることで、前記閉塞部と前記凹凸屋根材が固定されることを特徴とする請求項２に記載の屋根構造。
【発明の詳細な説明】
【技術分野】
【０００１】
本発明は、屋根構造に関する。
【背景技術】
【０００２】
特許文献１には、建造物の野地板上に、スレート等の屋根材を設けた屋根構造が記載されている。
【先行技術文献】
【特許文献】
【０００３】
【特許文献１】特開２００２−１６７９２７号公報
【発明の概要】
【発明が解決しようとする課題】
【０００４】
特許文献１に記載の屋根構造では、野地板と屋根材との間の通気性が良くないという問題がある。そこで、本発明者らは、凸部と凹部とを軒方向に交互に有する凹凸屋根材を用い、この凹凸屋根材を野地板上に設置して、凸部と野地板との間に通気空間を形成することを考えた。この屋根構造によれば、野地板と屋根材との間の通気性を高めることができる。
【０００５】
この凹凸屋根材を野地板に設置しようとする場合、その固定手段として、凹凸屋根材が有する凹部の底面を野地板に対してネジ、釘等で固定するという手段が考えられる。この手段によれば、野地板に対して凹凸屋根材を強固に固定することができるが、その一方で、水仕舞い等の面で問題が生じる。
【０００６】
これに対して、凹凸屋根材の軒方向両端に位置する凸部を、野地板上のレールに固定する手段も考えられる。この手段によれば、水仕舞いよく凹凸屋根材を野地板に固定することができる。しかし、凹凸屋根材は、凸部と凹部を交互に有することから、撓みを生じやすい構造である。そのため、この手段によれば、野地板上のレールに固定された凹凸屋根材が、両端のレール間で撓みを生じやすくなるという問題が生じる。
【０００７】
本発明は前記問題点に鑑みて発明したものであって、野地板上に凹凸屋根材を設置して通気性を高めることが可能であり、この凹凸屋根材を野地板上に強固に且つ水仕舞いよく固定することができ、しかも、固定後の凹凸屋根材に撓みが生じることも抑えることのできる屋根構造を提案することを、課題とする。
【課題を解決するための手段】
【０００８】
前記課題を解決するために本発明を、下記構成を具備した屋根構造とする。
【０００９】
即ち、本発明は、野地板上に凹凸屋根材が設けられ、前記凹凸屋根材は、下方に開口する凸部と上方に開口する凹部とを軒方向に交互に有し、前記凸部と前記野地板との間に通気空間を形成するものであり、前記野地板の軒側端部には、前記凸部内に挿入されて前記通気空間の軒側を閉塞する閉塞部が固定され、前記閉塞部に対して前記凹凸屋根材が固定されることを特徴とする屋根構造である。
【００１０】
前記凹凸屋根材は、前記凸部の軒側端部に複数の切り欠きを有し、隣接する前記切り欠き間に形成される折曲片を内側に折り曲げて、折り曲げた前記折曲片を前記閉塞部と係合させることにより、前記閉塞部に固定されることが好ましい。
【００１１】
更に、前記閉塞部は、前記通気空間の軒側を閉塞する閉塞板と、前記閉塞板の周縁部から屋外側にむけて突設される被係止片とを有し、折り曲げた前記折曲片が前記被係止片に係合されることで、前記閉塞部と前記凹凸屋根材が固定されることが好ましい。
【発明の効果】
【００１２】
本発明は、野地板上に凹凸屋根材を設置して通気性を高めることが可能であり、この凹凸屋根材を野地板上に強固に且つ水仕舞いよく固定することができ、しかも、固定後の凹凸屋根材に撓みが生じることも抑えることができるという効果を奏する。
【図面の簡単な説明】
【００１３】
【図１】本発明の一実施形態の屋根構造における軒側部分を示す斜視断面図である。
【図２】同上の屋根構造の斜視図である。
【図３】同上の凹凸屋根材同士の連結部分を示す斜視断面図である。
【図４】同上の屋根構造の棟側部分の斜視断面図である。
【図５】同上の屋根構造の軒側部分を示し、（ａ）は軒側から棟側に風が吹くときの空気の流れを示す説明図であり、（ｂ）は棟側から軒側に風が吹くときの空気の流れを示す説明図である。
【図６】同上の屋根構造において、凹凸屋根材とカバー部材を軒側誘導板に装着する前段階を示す斜視図である。
【図７】同上の凹凸屋根材とカバー部材を軒側誘導板に載置した段階を示す斜視図である。
【図８】同上の凹凸屋根材とカバー部材を軒側誘導板に固定した段階を示す斜視図である。
【発明を実施するための形態】
【００１４】
本発明を、添付図面に示す実施形態に基づいて説明する。図１−図５には、本発明の一実施形態の屋根構造を示している。図６−図８には、本実施形態の屋根構造の凹凸屋根材１１を野地板４に固定するための構造や手順を示している。
【００１５】
まず、図１−図５に基づいて、本実施形態の屋根構造について説明する。本実施形態の屋根構造は、図２に示す片流れ屋根を有する建物１に適用したものである。
【００１６】
以下の本文中では、傾斜した屋根面に沿って軒と棟を結ぶ方向を軒棟方向Ｄ１とし、軒に沿う方向を軒方向Ｄ２とし、棟に沿う方向を棟方向Ｄ３とする。本実施形態では、軒方向Ｄ２と棟方向Ｄ３は平行である。
【００１７】
図１に示すように、建物１の軒側の外壁の上端部には、屋外側に向かって突出する軒部２が形成されている。軒部２の屋外側の面（鼻板面）は下方ほど屋内側に位置するように傾斜している。また、図４に示すように、建物１の棟側の外壁の上端部には、屋外側に向かって突出する棟部３が形成されている。棟部３の屋外側の面は鉛直である。
【００１８】
建物１の屋根下地は、垂木等の建築躯体上に野地板４を設けることで形成されている。野地板４は棟側から軒側に向かって一様な角度で下り傾斜している。図１に示すように、野地板４の軒側端部は軒部２よりもさらに屋外側に突出している。野地板４の軒側端面は軒部２の屋外側の面と略平行である。図４に示すように、野地板４の棟側端部は、軒棟方向Ｄ１において棟部３の屋外側の面よりも屋内側に控えた位置に配置されている。
【００１９】
図１に示すように野地板４の軒側の端部上には、軒方向Ｄ２の略全長に亘って軒側後誘導板５が載置されている。軒側後誘導板５の上には、カバー板６が軒方向Ｄ２の略全長に亘って載置されている。軒側後誘導板５及びカバー板６は鋼板製である。軒側後誘導板５やカバー板６は軒方向Ｄ２に複数並べて設けた部材で構成してもよいし、軒方向Ｄ２に亘って一体に形成したものであってもよい。
【００２０】
図４に示すように、野地板４の棟側の端部上面には、棟側誘導板７が棟方向Ｄ３の略全長に亘って載置されている。棟側誘導板７は棟方向Ｄ３に複数並べて設けた部材で構成してもよいし、棟方向Ｄ３に亘って一体に形成したものであってもよい。
【００２１】
野地板４の上には、図２に示すように、凹凸屋根材１１が軒方向Ｄ２に複数並べて載置されている。各凹凸屋根材１１は鋼板製である。各凹凸屋根材１１は、下方に開口し且つ上方に突出する凸部１２と、上方に開口し且つ下方に凹む凹部１３とを、軒方向Ｄ２に交互に形成したものである。各凸部１２の側面部は、隣接する凹部１３の側面部を兼ねている。各凸部１２の両側面部は上面部に対して略直角である。
【００２２】
各凹凸屋根材１１の軒側部分は、カバー板６及び軒側後誘導板５を介して、野地板４上に載置される。また、図４に示すように、各凹凸屋根材１１の棟側部分は、棟側誘導板７を介して野地板４上に載置される。
【００２３】
図３に示すように、凹凸屋根材１１側の端部には凹部１３が形成されており、この凹部１３の外側面部の上部に、被掛止部１４が形成されている。隣り合う凹凸屋根材１１の間には、連結具８が配置されており、連結具８が有する掛止部１０に対して凹凸屋根材１１の被掛止部１４が掛止される。
【００２４】
各連結具８には、軒棟方向Ｄ１に長いカバー部材１５が取り付けられる。各カバー部材１５は、下方に開口する略溝形の部材であり、その両側面部の下部には、被係合部１６が形成されている。各カバー部材１５の両側の被係合部１６が、対応する凹凸屋根材１１の被掛止部１４に掛止されることにより、各カバー部材１５は、両側の凹凸屋根材１１を介して連結具８に取り付けられる。カバー部材１５は、両側の凹凸屋根材１１の間の部分と、ここに配置された連結具８を、上側から覆うものである。
【００２５】
図１に示すように、野地板４とこの上に配置された各凹凸屋根材１１の間には、通気空間１７が形成されている。各通気空間１７は、凸部１２と野地板４で囲まれた空間であり、軒方向Ｄ２に沿って凸部１２と同数形成されている。通気空間１７は、軒棟方向Ｄ１と直交する断面において、断面矩形状となるように形成されており、凹凸屋根材１１の軒棟方向Ｄ１の全長に亘って形成されている。
【００２６】
凹凸屋根材１１の軒側端部は、軒棟方向Ｄ１において野地板４の軒側端縁よりも屋外側に位置した出代部１８となっている。凹凸屋根材１１の出代部１８における凸部１２（すなわち、各凸部１２の軒側の端部）は、下方に開口している。これら出代部１８における各凸部１２の下開口は、軒棟方向Ｄ１に長い矩形状に形成されており、この下開口部分が、対応する通気空間１７の導入口１９を構成している。
【００２７】
図１や図４に示すように、軒側後誘導板５、カバー板６、及び棟側誘導板７は、対応する凹凸屋根材１１と野地板４の間に挟み込まれた状態で、野地板４に対して固定されている。
【００２８】
図１に示すように、軒側後誘導板５の軒側端縁には、野地板４の軒側端面に沿って下側に突出する板状の後誘導部２０が形成されている。後誘導部２０は、軒側後誘導板５の軒方向Ｄ２の全長に亘って形成されている。後誘導部２０の下端部は、野地板４の軒側端面よりも下側に突出している。この突出部分の下部は、屋外側に屈曲した屈曲部分２１となっている。屈曲部分２１は水切として機能する。
【００２９】
カバー板６の軒側部分は、軒棟方向Ｄ１において軒側後誘導板５よりも屋外側に向かって突出している。この突出部分がカバー部２２を構成し、各凹凸屋根材１１の出代部１８の下側において、導入口１９を覆うように配置されている。カバー部２２において各導入口１９と重なる部分には、多数の吸気孔２４が形成されている。このように、多数の吸気孔２４を有するカバー部２２を導入口１９に設けることで、通気空間１７に雨水や小鳥、虫等が入り込み難くなる。
【００３０】
カバー部２２の軒側端部には、後誘導部２０と略平行となるように、板状の縁片部２５が下方にむけて突設されている。縁片部２５の屋外側の面は、軒棟方向Ｄ１において、凹凸屋根材１１の軒側端面と略同じ位置に配置されている。
【００３１】
凹凸屋根材１１の軒側端部には、軒棟方向Ｄ１と略直交する軒側誘導板２６が、凹凸屋根材１１の軒方向Ｄ２の全長に亘って取り付けられる。軒側誘導板２６は、軒方向Ｄ２に複数並べて設けた部材で構成してもよいし、軒方向Ｄ２に亘って一体に形成したものであってもよい。
【００３２】
軒側誘導板２６は、誘導部２７を下部に有し、複数の閉塞部２８を上部に有している。誘導部２７は、カバー板６の縁片部２５の外面（つまり、縁片部２５のうち後誘導部２０側を向く面とは反対側の面）に固定されている。誘導部２７の下端部は、縁片部２５よりも下側に突出している。
【００３３】
誘導部２７は後誘導部２０に対向しており、誘導部２７と後誘導部２０の間に空間２９が形成されている。空間２９は、下側に開口し且つ吸気孔２４を介して通気空間１７に連通するスペースである。誘導部２７の下端部は、水切として機能する。
【００３４】
閉塞部２８は、誘導部２７において、軒方向Ｄ２に間隔を介して複数形成されている。各閉塞部２８は、誘導部２７の軒方向Ｄ２における一部を上側に延出した形状であり、軒棟方向Ｄ１における屋外側から視て、凸部１２と略同大同形の矩形状に形成されている。各閉塞部２８は、対応する凸部１２の軒側の端部開口を閉塞するように配置される。
【００３５】
屋外の空気は、後誘導部２０と誘導部２７の間の空間２９及び吸気孔２４（導入口１９）を順に経て、各通気空間１７に導入されるようになっている。この場合、空間２９に下側から入り込んだ空気は、後誘導部２０の屋外側の面と誘導部２７の屋内側の面に沿って上昇し、吸気孔２４（導入口１９）にまで誘導される。吸気孔２４を通じて通気空間１７にまで導入された空気は、通気空間１７の棟側の端部開口である後述の導出口３２から排出される。これにより、野地板４と凹凸屋根材１１の間において、良好な通気性が確保される。
【００３６】
図１に示すように、軒部２の屋外側には、軒部２に沿って軒樋３１が設けられている。軒樋３１は、各凹凸屋根材１１の上面から屋外側に流出した雨水を受ける位置に設置されている。より具体的に述べると、この軒樋３１は、各通気空間１７の導入口１９、後誘導部２０の下端部、及び、軒側誘導板２６の誘導部２７の下端部の、夫々の下方に位置するように設置されている。これにより、各通気空間１７に雨水が浸入した場合に、カバー部２２の吸気孔２４から排出された雨水を、軒樋３１で受けることができる。また、後誘導部２０の下端部や誘導部２７の下端部から落下した雨水を、軒樋３１で受けることができる。
【００３７】
他方、各凹凸屋根材１１の棟側端部は、図４に示すように野地板４の棟側端面よりも軒側に控えた位置に配置されている。凹凸屋根材１１の凸部１２の棟側端部と野地板４で囲まれた開口により、通気空間１７の導出口３２が構成されている。各通気空間１７の導出口３２は、野地板４上で棟側に向けて開口している。
【００３８】
棟側誘導板７の棟側部分は、凹凸屋根材１１よりも棟側に突出しており、この突出部分が誘導部３３を構成する。誘導部３３の棟側部分は、上側に折り曲げられた折曲部分３４となっており、この折曲部分３４は通気空間１７の導出口３２に対向して位置する。折曲部分３４の突出方向は、野地板４に対して直交する方向よりも棟側に傾けられており、この傾斜によって、各通気空間１７から排出された空気は棟側に流れやすくなっている。
【００３９】
棟部３には、野地板４の棟方向Ｄ３に亘る棟部カバー３６が取り付けられている。棟部カバー３６は、棟方向Ｄ３に複数並べて設けた部材で構成してもよいし、棟方向Ｄ３に亘って一体に形成したものであってもよい。
【００４０】
棟部カバー３６は、棟部３との間に隙間が形成されるように、複数の取付具３７を介して棟部３に取り付けられている。棟部カバー３６は、屋外側の面を構成する縦板部３８と、上面を構成する横板部３９と、側端面を構成する側板部４０（図２参照）を備えている。
【００４１】
横板部３９は、縦板部３８の上端部から軒側に向けて突出し、軒棟方向Ｄ１と略平行である。横板部３９は、野地板４、凹凸屋根材１１及び棟側誘導板７の上方に配置されている。横板部３９と誘導部３３の間には、各導出口３２に連通する空間４１が形成されている。横板部３９と凹凸屋根材１１の間には、空間４１の軒側に連通する空間４２が形成されている。横板部３９の軒側端部には、下側に向けて突出する突片部４３が、棟方向Ｄ３に亘って形成されている。突片部４３の下端部と、この下側に位置する凹凸屋根材１１の間には、開口４４が形成されている。空間４２は、開口４４を介して軒側に向けて開口している。すなわち、各通気空間１７の導出口３２は、凹凸屋根材１１の棟側端部近傍に位置する空間４１及び空間４２を介して、開口４４に連通している。
【００４２】
縦板部３８は、棟部３の屋外側の面と略平行である。縦板部３８と棟部３の間には、空間４１に連通する空間４５が形成されている。空間４５は、縦板部３８の下端部と棟部３の間に形成された通気口４６を介して下側に開口している。
【００４３】
図５（ａ）に示すように、軒側から棟側に風が吹く場合、この風は後誘導部２０で受けられて導入口１９側に導かれ、各通気空間１７内を軒側から棟側へと流れる。他方、風が棟側から軒側に向かって吹く場合、図５（ｂ）に示すように、風は上方から軒樋３１内に吹き込まれて該軒樋３１の内面に沿って上昇し、後誘導部２０に沿って導入口１９側に誘導され、各通気空間１７内を軒側から棟側へと流れる。即ち、通気空間１７において通常は、軒側から棟側に向かうように空気の流れが生じる。各通気空間１７の導出口３２から排出された空気は、空間４１、空間４５及び通気口４６を介して、棟部カバー３６の下側に排出される。
【００４４】
ところで、図４の矢印ａ１に示すように棟側から軒側に向けて風が吹くと、この風は建物１の棟側の外壁面に当たった後、矢印ｂ１に示すように建物１の棟側の外壁面に沿って上昇し、この後、通気口４６から空間４５に導入される。空間４５に導入された空気は、空間４１及び空間４２を順に経て開口４４から排出される。このとき、凹凸屋根材１１の棟側端部近傍に位置する空間４１の上部では、空気の通過によって負圧が生じ、通気空間１７から空気を引き込むように作用する。この負圧により、各通気空間１７において軒側から棟側に向かう空気の流れが生じやすくなる。
【００４５】
本実施形態では、図２に示すように、複数の凹凸屋根材１１で構成される屋根面上に、機能パネルとしての太陽光発電パネル４８が設けられている。太陽光発電パネル４８は、シリコンを主材料とした半導体素子により太陽光エネルギーを電気エネルギーに変換して出力するものである。太陽光発電パネル４８は、上下両面で受光して発電可能な両面受光型のパネルであってもよいし、上面のみで受光して発電可能なパネルであってもよい。
【００４６】
図４に示すように、太陽光発電パネル４８の棟側端部は、棟部カバー３６の横板部３９の軒側端部の近傍に配置されている。太陽光発電パネル４８の棟側端面は、棟部カバー３６の突片部４３に対向し、突片部４３との間に空気導出用の間隙５３が形成される。
【００４７】
凹凸屋根材１１同士を連結する任意の連結具８には、図３に示すように、カバー部材１５よりも上方に突出するボルト４９が設けられている。太陽光発電パネル４８は、これらボルト４９を用いて屋根面上に固定されている。
【００４８】
図４に示すように、太陽光発電パネル４８は複数の凸部１２の上面に載置されており、複数の凸部１２に跨っている。このため、太陽光発電パネル４８とこの下方に位置する凹凸屋根材１１の間には、第二通気空間５２が形成されている。第二通気空間５２は、太陽光発電パネル４８と、凹凸屋根材１１の凹部１３で囲まれた空間であり、太陽光発電パネル４８で閉塞された凹部１３と同数だけ形成される。第二通気空間５２は、軒棟方向Ｄ１と直交する断面において断面矩形状となるように形成されている。第二通気空間５２は、太陽光発電パネル４８の軒棟方向Ｄ１における全長に亘って形成される。
【００４９】
図２に示すように、第二通気空間５２の軒側の端部開口５０は、凹凸屋根材１１の軒棟方向Ｄ１における中央部付近に位置している。図４に示すように、第二通気空間５２の棟側の端部開口５１は、軒棟方向Ｄ１において棟部カバー３６の横板部３９よりもわずかに軒側に位置し、間隙５３及び開口４４に連通する。
【００５０】
第二通気空間５２では、軒側から棟側に向かって空気が流れやすくなっている。これは、軒側に向かって下り傾斜した凹凸屋根材１１に当たった風が、棟側に向かって流れやすいからである。第二通気空間５２の端部開口５１から排出された空気は、開口４４を経て、棟部カバー３６内の空間４２、空間４１、及び空間４５を順に通過し、この後、通気口４６から棟部カバー３６の下側に排出される。第二通気空間５２から排出された空気が空間４１の上部を通過するとき、この空間４１の上部において負圧が生じ、通気空間１７から空気を引き込むように作用する。このときの負圧によっても、各通気空間１７において軒側から棟側に向かう空気の流れが生じやすくなる。
【００５１】
ところで、太陽光発電パネル４８は、周囲の雰囲気温度が高い場合や、直射日光が長時間照射された場合等に、発電素子が高温になって発電効率（変換効率）が低下する恐れがある。しかし、本実施形態では、前記のように太陽光発電パネル４８の下方に通気空間１７と第二通気空間５２を設けたことで、通気空間１７や第二通気空間５２を流れる空気により太陽光発電パネル４８を冷却し、太陽光発電パネル４８の温度上昇を抑えることができる。したがって、太陽光発電パネル４８の発電効率の低下が抑制される。
【００５２】
以上、本実施形態の屋根構造の全体構造について、図１−図５に基づいて詳述した。以下においては、凹凸屋根材１１を野地板４に固定するための構造や手順について、図６−図８に基づいて詳述する。
【００５３】
上述したように、軒側誘導板２６には、凹凸屋根材１１が有する複数の凸部１２と一対一で対応するように、複数の閉塞部２８を上方に突出させて設けている。つまり、軒側誘導板２６の上部を、凹凸屋根材１１を軒棟方向Ｄ１の屋外側から視たときと略同大同形の凹凸形状に設け、この凹凸形状の凸部５５を閉塞部２８としている。軒側誘導板２６の上部に形成される凹凸形状の凹部５６は、凹凸屋根材１１の凹部１３と一対一に対応する部分であり、軒側誘導板２６においてはこの凹部５６と凸部５５が軒方向Ｄ２に交互に形成されている。各凸部５５の側端縁部は、隣接する凹部５６の側端縁部を兼ねている。
【００５４】
図６に示すように、矩形状である各凸部５５は、その上端縁と両側端縁に、軒棟方向Ｄ１の屋外側にむけて延長された被係止片５７を有している。凹部５６の下端縁にも、屋外側にむけて同様の被係止片５７が延設されている。具体的には、可塑性材料からなる板部材を用いて上部が略凹凸形状となる軒側誘導板２６を形成し、この軒側誘導板２６の上部が有する略凹凸形状の角部分にスリット状の切り欠き５８を設け、隣接する切り欠き５８間の部分を屋外側に折り曲げることで、被係止片５７を形成している。軒側誘導板２６の上部のうち被係止片５７以外の部分が、軒方向Ｄ２に距離をあけて複数配置された閉塞板５４となる。
【００５５】
一方、凹凸屋根材１１の軒先端部には、図６に示すように、軒棟方向Ｄ１の屋内側にむけてスリット状の切り欠き６０を複数設けている。具体的には、凹凸屋根材１１が有する各凸部１２の軒先端部のうち、軒方向Ｄ２の両側端縁の上側と下側の角部分に、それぞれ切り欠き６０が形成されている。凹凸屋根材１１の軒先端部のうち隣接する切り欠き６０間の部分が、折曲自在な折曲片６１となる。各切り欠き６０の切り込み寸法（つまり、折曲片６１の軒棟方向Ｄ１の屋外側への突出寸法）は、被係止片５７の屋外側への突出寸法より大きく設けている。
【００５６】
これら折曲片６１は、各凸部１２の上端部から軒棟方向Ｄ１の屋外側に延設される上側の折曲片６１と、各凸部１２の両側端部から軒棟方向Ｄ１の屋外側に延設される両側の折曲片６１と、各凹部１３の下端部から軒棟方向Ｄ１の屋外側に延設される下側の折曲片６１とからなる。上側の折曲片６１が、軒側誘導板２６の閉塞板５４の上端縁から延設される被係止片５７と、一対一に対応する。両側の折曲片６１が、閉塞板５４の両側端縁から延設される被係止片５７と、一対一に対応する。そして、下側の折曲片６１が、軒側誘導板２６の凹部５６の下端縁から延設される被係止片５７と、一対一に対応する。
【００５７】
凹凸屋根材１１を軒側誘導板２６に固定するに際し、まず図７に示すように、各凸部１２の軒側端部内（つまり通気空間１７の軒側端部内）に閉塞板５４が一対一で嵌入し、嵌入された閉塞板５４が通気空間１７の軒側開口を閉塞するように、凹凸屋根材１１を軒側誘導板２６上に配置する。このとき、凹凸屋根材１１の各折曲片６１が、対応する被係止片５７に対して互いの厚み方向に重なり合い、さらに、各折曲片６１の屋外側の先端縁が被係止片５７の先端縁よりも突出するように配置する。なお且つ、凹凸屋根材１１に形成した切り欠き６０の屋内側の先端が、被係止片５７よりも屋内側にまで至るように配置する。
【００５８】
次いで、可塑性材料からなる凹凸屋根材１１の各折曲片６１を、対応する被係止片５７を巻き付けるように折り曲げる。つまり、図８に矢印で示すように、凹凸屋根材１１の凸部１２から延設される上側の折曲片６１を、その下方に重なる被係止片５７にむけて折り曲げ、折り曲げた折曲片６１をこの被係止片５７に係合させる。同様に、凹凸屋根材１１の凸部１２から延設される両側の折曲片６１を、その内側で重なる被係止片５７にむけて折り曲げ、折り曲げた折曲片６１をこの被係止片５７に係合させる。さらに、凹凸屋根材１１の凹部１３から延設される下側の折曲片６１を、その下方で重なる被係止片５７にむけて折り曲げ、折り曲げた折曲片６１をこの被係止片５７に係合させる。
【００５９】
この構造により、図８に示すように凹凸屋根材１１が軒側誘導板２６に固定される。ひいては凹凸屋根材１１が、軒側誘導板２６、カバー板６及び軒側後誘導板５を介して、野地板４に対して強固に固定される。この構造によれば、軒先に強風等の負荷が加えられても、その負荷によって凹凸屋根材１１の軒先部分がめくれ上がって外れることや、バタバタと異音を生じさせることが抑えられる。また、凹凸屋根材１１を野地板４に固定するに際して、凹凸屋根材１１の凹部１３をネジ、釘等で野地板４に固定する必要がなく、水仕舞いが良好となる。加えて、この構造によれば、軒方向Ｄ２に沿って凸部１２と凹部１３を交互に有する凹凸屋根材１１が、固定後に撓みを生じることも抑えられる。さらに、凹凸屋根材１１の軒先端縁の構造が、折曲片６１を折り曲げた構造となるので、凹凸屋根材１１の小口部分が軒先に露出することも抑えられる。
【００６０】
さらに本実施形態では、隣接する凹凸屋根材１１間の部分を上側から覆うカバー部材１５にも、同様の固定構造を設けている。つまり図６、図７に示すように、カバー部材１５が有する上壁部の軒側先端部と、カバー部材１５が両側に有する被係合部１６の軒側先端部とから、前述の折曲片６１と同様の折曲片６２を軒棟方向Ｄ１の屋外側にむけて延設している。
【００６１】
このカバー部材１５も、対応する閉塞部２８に対して上方から被せられる。このとき、カバー部材１５が有する上側の折曲片６２が、閉塞部２８が有する上側の被係止片５７と重なり合い、カバー部材１５が有する両側の折曲片６２が両側の被係止片５７と重なり合う。カバー部材１５が有する各折曲片６２を内側に折り曲げ、対応する被係止片５７を巻き付けるようにして係合させることで、カバー部材１５はこれに対応する閉塞部２８に固定される。ひいては、カバー部材１５が軒側誘導板２６、カバー板６及び軒側後誘導板５を介して野地板４に固定される。カバー部材１５の軒先端縁の構造は、折曲片６２を折り曲げた構造となるので、カバー部材１５の小口部分が軒先に露出することも抑えられる。
【００６２】
以上、図面に基づいて詳述したように、本実施形態の屋根構造では、野地板４上に凹凸屋根材１１が設けられている。凹凸屋根材１１は、下方に開口する凸部１２と上方に開口する凹部１３とを軒方向Ｄ２に交互に有し、凸部１２と野地板４との間に通気空間１７を形成する。野地板４の軒側端部には、凸部１２内に挿入されて通気空間１７の軒側を閉塞する閉塞部２８が固定され、閉塞部２８に対して凹凸屋根材１１が固定されている。
【００６３】
この構造によれば、凹凸屋根材１１を用いて形成する通気空間１７によって通気性を高めることが可能となり、しかも、この凹凸屋根材１１は、通気空間１７の軒側を閉塞する閉塞部２８を介して野地板４に固定される。そのため、軒先に強風等の負荷が加えられても、その負荷によって凹凸屋根材１１の軒先部分が外れることや異音を生じさせることのないように、凹凸屋根材１１を強固に固定することができる。加えて、凹凸屋根材１１の凹部１３をネジ、釘等で野地板４に固定する必要がなく、水仕舞いが良好となる。さらに、凸部１２と凹部１３を交互に有する凹凸屋根材１１が、固定後に撓みを生じることも抑えられる。
【００６４】
また、本実施形態の屋根構造において、凹凸屋根材１１は、凸部１２の軒側端部に複数の切り欠き６０を有し、隣接する切り欠き６０間に形成される折曲片６１を内側に折り曲げて、折り曲げた折曲片６１を閉塞部２８と係合させることにより、閉塞部２８に固定される。この構造によれば、凹凸屋根材１１の軒先が折曲片６１を折り曲げた構造となり、凹凸屋根材１１の軒先に小口部分が露出することが抑えられる。
【００６５】
さらに、閉塞部２８は、通気空間１７の軒側を閉塞する閉塞板５４と、閉塞板５４の周縁部から屋外側にむけて突設される被係止片５７とを有し、折り曲げた折曲片６１に被係止片５７が係合されることで、閉塞部２８と凹凸屋根材１１が固定される。この構造によれば、凹凸屋根材１１が有する折曲片６１を、被係止片５７に巻き付けるように折り曲げるという簡易な作業で、凹凸屋根材１１を閉塞部２８に固定することができる。
【００６６】
以上、本発明を添付図面に示す実施形態に基づいて説明したが、本発明は前記実施形態に限定されるものではない。例えば、本実施形態では、機能パネルを太陽光発電パネル４８で構成したが、その他の機能を有するパネルで構成しても構わないし、機能パネルを省略することも可能である。また、本発明は片流れ屋根だけではなく切妻屋根等のその他の形状の屋根にも適用可能である。その他の構成についても、本発明の意図する範囲内であれば、適宜の設計変更を行うことが可能である。
【符号の説明】
【００６７】
４  野地板
１１  凹凸屋根材
１２  凸部
１３  凹部
１７  通気空間
２８  閉塞部
５４  閉塞板
５７  被係止片
６０  切り欠き
６１  折曲片
Ｄ２  軒方向
【図１】
2013221258.tif 000003
【図２】
2013221258.tif 000004
【図３】
2013221258.tif 000005
【図４】
2013221258.tif 000006
【図５】
2013221258.tif 000007
【図６】
2013221258.tif 000008
【図７】
2013221258.tif 000009
【図８】
2013221258.tif 000010